(57)【要約】【課題】軽量化を図り得ると共に巻いたり折り畳んだりできて持ち運びに極めて利便な携行用照明器具及びこの携行用照明器具を具備した携行用照明装置を提供すること。【解決手段】携行用照明装置１は、携行用照明器具２と、携行用照明器具２の複数の発光ダイオード３の夫々を発光させる電力を発生する電源装置４と、携行用照明器具２の複数の発光ダイオード３の夫々から発光される光量を決定すべく、電源装置４により発生された電力を制御して、この制御された電力を携行用照明器具２に供給する供給電力制御装置５とを具備している。【選択図】図１
2013143357.tif 000002
【特許請求の範囲】
【請求項１】
可撓性のシートと、この可撓性のシートの一方の面に分散されて設けられている複数の発光ダイオードとを具備している携行用照明器具。
【請求項２】
可撓性のシートは、布製又は合成樹脂製のシートからなる請求項１に記載の携行用照明器具。
【請求項３】
可撓性のシートは、網目状シートからなる請求項１又は２に携行用照明器具。
【請求項４】
複数の発光ダイオードは、一の色温度をもった光を発光する少なくとも一つの第一の発光ダイオードと、この一の色温度とは異なる他の一の色温度をもった光を発光する少なくとも一つの第二の発光ダイオードとを含んでいる請求項１から３のいずれか一項に記載の携行用照明器具。
【請求項５】
可撓性のシートの他方の面に設けられていると共に当該シートを広げて張設する折り畳み自在な張設機構を更に具備している請求項１から４のいずれか一項に記載の携帯用照明器具。
【請求項６】
請求項１から５のいずれか一項に記載の携行用照明器具と、この携行用照明器具の複数の発光ダイオードの夫々を発光させる電力を発生する電源装置と、携行用照明器具の複数の発光ダイオードの夫々から発光される光量を決定すべく、電源装置により発生された電力を制御して、この制御された電力を携行用照明器具に供給する供給電力制御装置とを具備している携行用照明装置。
【発明の詳細な説明】
【技術分野】
【０００１】
本発明は、テレビスタジオ、写真スタジオ、舞台等や野外に携行されて用いられる携行用照明器具及びこの携行用照明器具を具備した携行用照明装置に関する。
【背景技術】
【０００２】
例えば、特許文献１においては、光源が発光ダイオード（ＬＥＤ（Ｌｉｇｈｔ  ｅｍｉｔｔｉｎｇ  ｄｉｏｄｅ）からなるスタンド式照明器具が提案されている。
【先行技術文献】
【特許文献】
【０００３】
【特許文献１】特開２０１０−９８４８号公報
【発明の概要】
【発明が解決しようとする課題】
【０００４】
ところで、発光面が広く形成された照明器具においては、その照明器具の寸法とその照明器具自体の重量とが大きくなる傾向にあるために、斯かる照明器具を野外等の様々な場所に移動させることは困難である。
【０００５】
本発明は、前記諸点に鑑みてなされたものであり、その目的とするところは、軽量化を図り得ると共に巻いたり折り畳んだりできて持ち運びに極めて利便な携行用照明器具及びこの携行用照明器具を具備した携行用照明装置を提供することにある。
【課題を解決するための手段】
【０００６】
本発明の携行用照明器具は、可撓性のシートと、この可撓性のシートの一方の面に分散されて設けられている複数の発光ダイオードとを具備している。
【０００７】
本発明の携行用照明器具によれば、複数の発光ダイオードが可撓性のシートに設けられているため、軽量化できると共に巻いたり折り畳んだりできて持ち運びに利便な形態に容易にし得る。
【０００８】
本発明では、可撓性のシートは、布製又は合成樹脂製のシートからなっていてもよく、網目状シートからなっていてもよく、斯かる網目状シートから可撓性のシートがなっていると、更に軽量化を図り得る。
【０００９】
本発明の携行用照明器具では、複数の発光ダイオードは、白色光、赤色光、緑色光、青色光等を発光するようになっていてもよく、互いに白色光等の同一色を発光するようになっていても、互いに異なる色を発光するようになっていてもよく、また、同一の色温度をもった光を発光する発光ダイオードからなっていてもよいが、一の色温度をもった光を発光する少なくとも一つの第一の発光ダイオードと、この一の色温度とは異なる他の一の色温度をもった光を発光する少なくとも一つの第二の発光ダイオードとを含んでいてもよい。
【００１０】
本発明の携行用照明器具は、可撓性のシートの他方の面に設けられていると共に当該シートを広げて張設する張設機構を更に具備していてもよく、このような携行用照明器具によれば、可撓性シートをピンと広げた状態に維持できる。
【００１１】
張設機構は、可撓性のシートの他方の面に一体的に又は着脱自在に設けられているとよいが、持ち運びの容易性を向上させる場合には、持ち運びの際に可撓性のシートから取り外すことができるように、可撓性のシートの他方の面に着脱自在に設けられているとよい。
【００１２】
本発明の携行用照明装置は、上記のいずれか一つの携行用照明器具と、この携行用器具の発光ダイオードの夫々を発光させる電力を発生する電源装置と、携行用器具の複数の発光ダイオードの夫々から発光される光量を決定すべく、電源装置により発生された電力を制御して制御された電力を携行用照明器具に供給する供給電力制御装置とを具備している。
【発明の効果】
【００１３】
本発明によれば、軽量化を図り得ると共に巻いたり折り畳んだりでできて持ち運びに極めて利便な携行用照明器具及びこの携行用照明器具を具備した携行用照明装置を提供することができる。
【図面の簡単な説明】
【００１４】
【図１】図１は、本発明の実施の形態の例の携行用照明器具の正面説明図である。
【図２】図２は、図１に示す例の携行用照明器具の背面説明図である。
【図３】図３は、図１に示す例の携行用照明器具の右側面説明図である。
【図４】図４は、図６に示す携行用照明装置に用いられる供給電力制御装置等の説明図である。
【図５】図５は、図１に示す例の携行用照明器具の円筒状に巻かれた状態を示す説明図である。
【図６】図６は、図１に示す携行用照明器具を具備した携行用照明装置の説明図である。
【発明を実施するための形態】
【００１５】
次に本発明を、図に示す好ましい実施の形態の例に基づいて更に詳細に説明する。なお、本発明はこれら例に何等限定されないのである。
【実施例】
【００１６】
図１から図６において、本例の携行用照明装置１は、携行用照明器具２と、携行用照明器具２の複数の発光ダイオード３の夫々を発光させる電力を発生する電源装置４と、携行用照明器具２の複数の発光ダイオード３の夫々から発光される光量を決定すべく、電源装置４により発生された電力を制御して、この制御された電力を携行用照明器具２に供給する供給電力制御装置５とを具備している。
【００１７】
携行用照明器具２は、可撓性の布製のシート６と、シート６の一方の面１１に分散されて設けられている複数の発光ダイオード３と、発光ダイオード３の夫々に発光用の電力を供給する配線手段７と、シート６の他方の面１２に設けられていると共に当該シート６を広げて張設する折り畳み自在な張設機構８とを具備している。
【００１８】
シート６は、シート本体１５と、Ｘ方向におけるシート本体１５の両縁に一体的に形成された膨大部１６及び１７とを有している。
【００１９】
膨大部１６及び１７は夫々、Ｘ方向におけるシート６の一端１８及び他端１９をシート６の一方の面１１側から他方の面１２側に向かって丸めるようにしてシート本体１５の両端に円筒状に形成して設けられた円筒部２０と、円筒部２０の内面で規定される空間にＸ方向に直交するＹ方向において当該内面に摺動自在に接して配されていると共に当該空間に対してＹ方向に挿抜自在な中空の剛性の支持部材２１とを具備している。
【００２０】
一端１８側の円筒部２０は、一端１８がシート６の面１２に接して縫い合わされて形成されており、他端１９側の円筒部２０も同様にして形成されている。
【００２１】
露出した平面状の発光面３０を夫々有していると共にシート本体１５の一方の面でもあるシート６の面１１においてＸ方向及びＹ方向の夫々に等間隔に配列されて設けられた複数の発光ダイオード３は、Ｘ方向の一つおきの行にＹ方向に配列されていると共に一の色温度をもった光、例えば白色光を発光する円形の複数の発光ダイオード３ａと、Ｘ方向の残りの行にＹ方向に配列されていると共に白色光と異なる他の一の色温度をもった光、例えば赤色光を発光する円形の複数の発光ダイオード３ｂとを含んでいる。
【００２２】
配線手段７は、シート６のシート本体１５の内部に配されていると共に複数の発光ダイオード３ａの夫々に発光用の電力を供給するように当該発光ダイオード３ａの夫々に接続された一のリード線（図示せず）及びこの一のリード線に接続されたコネクタ３１ａを有した配線７ａと、シート６のシート本体１５の内部に配されていると共に複数の発光ダイオード３ｂの夫々に発光用の電力を供給するように当該発光ダイオード３ｂの夫々に接続された他の一のリード線（図示せず）及びこの他の一のリード線に接続されたコネクタ３１ｂを有した配線７ｂとを具備している。
【００２３】
シート６の面１２からシート６をピンと広げるようになっている張設機構８は、面１２の中央に面ファスナー等を介して着脱自在に設けられている本体４０と、本体４０に面１２に直行するＺ方向において回転自在に設けられていると共に本体４０から放射状にシート本体１５の四隅に向かって夫々伸びている四つの中空の受け部４１と、一端で受け部４１の中空部に摺動自在に嵌合していると共に他端でシート本体１５の四隅の角部の夫々に、互いに係合するはと目穴及びフック等を介して着脱自在に取り付けられた四本の可撓性の細棒４２とを具備している。
【００２４】
張設機構８は、本体４０を面１２から、面ファスナー等の接合を解除して細棒４２の夫々の他端をシート本体１５の四隅の角部から夫々取り外すことにより、シート６から分離できる上に、この分離後、本体４０に対して細棒４２を受け部４１と共に回転することにより、それ自体を折り畳むことができるようになっている一方、本体４０を面１２に面ファスナー等により取り付けると共に本体４０に対して受け部４１を介して放射状に伸ばされた各細棒４２の他端をシート本体１５の四隅の対応の角部のはと目穴に当該他端のフックを介して取り付けることにより、シート６をピンと広げるようになっており、張設機構８は、シート６から分離することにより、シート６を巻き込み折り畳み可能にし得る。
【００２５】
商用電源又は携行用としては、好ましくは蓄電池からなる電源装置４は、発生した電力を供給電力制御装置５に供給するようになっている。
【００２６】
供給電力制御装置５は、複数の発光ダイオード３ａの夫々に発光用の制御された電力を供給する供給電力制御装置５ａと、複数の発光ダイオード３ｂの夫々に発光用の制御された電力を供給する供給電力制御装置５ｂとを具備している。
【００２７】
供給電力制御装置５ａは、電源装置４に接続されるプラグ５０ａと、本体部５１ａと、本体部５１ａに取り付けられていると共に複数の発光ダイオード３ａの光量を調節することができるようになっている光量調節部５２ａと、本体部５１ａに取り付けられていると共に光量調節部５２ａによって調節された光量を表示する表示部５３ａと、コネクタ３１ａに着脱自在に接続されるようになっているコネクタ５４ａとを具備しており、供給電力制御装置５ａは、プラグ５０ａを介して電源装置４から受容する電力を光量調節部５２ａで調節してコネクタ５４ａを介してコネクタ３１ａに供給する電力を制御し、配線７ａから電力が供給される複数の発光ダイオード３ａの夫々から発光される光量を決定するようになっている。
【００２８】
供給電力制御装置５ｂは、電源装置４に接続されるプラグ５０ｂと、本体部５１ｂと、本体部５１ｂに取り付けられていると共に複数の発光ダイオード３ｂの光量を調節することができるようになっている光量調節部５２ｂと、本体部５１ｂに取り付けられていると共に光量調節部５２ｂによって調節された光量を表示する表示部５３ｂと、コネクタ３１ｂに着脱自在に接続されるようになっているコネクタ５４ｂとを具備しており、供給電力制御装置５ｂは、プラグ５０ｂを介して電源装置４から受容する電力を光量調節部５２ｂで調節してコネクタ５４ｂを介してコネクタ３１ｂに供給する電力を制御し、配線７ｂから電力が供給される複数の発光ダイオード３ｂの夫々から発光される光量を決定するようになっている。
【００２９】
以上の携行用照明装置１の携行用照明器具２では、可撓性の布製のシート６を具備しているために軽量化でき、円筒部２０の内面に摺動自在に接して配されている支持部材２１、シート６の面１２に着脱自在に設けられている張設機構８及びシート６の配線手段７に着脱自在に嵌合している供給電力制御装置５の夫々を取り外して、図５に示すように、外側が面１２に、内側が面１１となるように、膨大部１６を中心として巻き取ることで持ち運びに極めて利便な形態である円筒状に容易にすることができる。
【００３０】
また、携行用照明器具２では、膨大部１６及び１７の夫々がＹ方向において円筒部２０の内面に摺動自在に接して配されている剛性の支持部材２１を具備しているので、Ｙ方向におけるシート６の撓みを防止し得る。
【００３１】
携行用照明装置１では、供給電力制御装置５ａ及び５ｂを具備しているために、複数の発光ダイオード３ａ及び３ｂの夫々から発光される光量を調節して携行用照明器具２全体の光量及び色温度を調節することができる。
【００３２】
ところで、前記の携行用照明器具２では、配線手段７のリード線を可撓性の布製のシート６の内部に配したが、これに代えて、可撓性の布製のシート６の面１１又は面１２の表面に当該配線手段７のリード線を貼り付けてもよい。
【００３３】
また、円筒部２０は、縫合に代えて、一端１８及び他端１９の夫々の面１１又は面１２への接着剤による接着により形成されていてもよい。
【００３４】
更に、膨大部１６及び１７は、円筒部２０及び支持部材２１を具備することなしに、単にシート６のＸ方向の両縁を夫々膨出させてなるものでもよい。  
【００３５】
加えて、複数の発光ダイオード３は、前記に代えて、Ｙ方向の一つおきの列にＸ方向に配列されていると共に白色光を発光する複数の円形の発光ダイオード３ａと、Ｙ方向の残りの列にＸ方向に配列されていると共に赤色光を発光する複数の円形の発光ダイオード３ｂとを含んでいてもよい。
【００３６】
供給電力制御装置５は、前記では、別体の供給電力制御装置５ａ及び５ｂを具備しているが、これに代えて、一体の供給電力制御装置５ａ及び５ｂを具備していてもよい。
【符号の説明】
【００３７】
１  携行用照明装置
２  携行用照明器具
３  発光ダイオード
５  供給電力制御装置
７  配線手段
８  張設機構
【図１】
2013143357.tif 000003
【図２】
2013143357.tif 000004
【図３】
2013143357.tif 000005
【図４】
2013143357.tif 000006
【図５】
2013143357.tif 000007
【図６】
2013143357.tif 000008